(57)【要約】【課題】分岐ブレーカの部品点数の増加を抑えながらも分岐回路の種類を判定することができる回路判定方法、回路判定システム、及びプログラムを提供する。【解決手段】回路判定方法は、計測装置２の計測結果を用いて、第１物理量と第２物理量とが一致するか否かによって、複数の分岐回路５の各々が第１分岐回路と第２分岐回路とのどちらであるかを判定する判定ステップを含む。計測装置２は、第１電圧線４１を流れる第１電流Ｉ１、第２電圧線４２を流れる第２電流Ｉ２、及び複数の分岐回路５１〜５８の各々を流れる分岐電流Ｉ１１〜Ｉ１８を計測する。第１物理量は、第１電圧線４１及び第２電圧線４２の電流又は電力についての物理量である。第２物理量は、複数の分岐回路５の電流又は電力についての物理量である。【選択図】図１
2017070069.tif 000002
【特許請求の範囲】
【請求項１】
第１電線と第２電線と第３電線とを有する電力線に電気的に接続され、前記電力線からの電力を複数の分岐回路に分配する分電盤に用いられ、
前記複数の分岐回路の各々が、前記第１電線と前記第２電線との一方及び前記第３電線に電気的に接続された第１分岐回路と、前記第１電線及び前記第２電線に電気的に接続された第２分岐回路とのいずれであるかを判定する回路判定方法であって、
前記第１電線を流れる第１電流、前記第２電線を流れる第２電流、及び前記複数の分岐回路の各々を流れる分岐電流を計測する計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定ステップを含むことを特徴とする回路判定方法。
【請求項２】
前記第１物理量は、前記第１電流から得られる前記第１電線の電力値と、前記第２電流から得られる前記第２電線の電力値とを加算した第１電力値であり、
前記第２物理量は、前記分岐電流から得られる前記複数の分岐回路の各々の電力値に、前記複数の分岐回路の各々に応じた係数を掛けた乗算値を加算した第２電力値であり、
前記判定ステップにおいて、前記第１電力値と前記第２電力値とが一致するか否かを判定することを特徴とする請求項１記載の回路判定方法。
【請求項３】
前記第１物理量は、前記第１電流の電流波形及び前記第２電流の電流波形であり、
前記第２物理量は、前記複数の分岐回路のうち前記第１電線に電気的に接続された２つ以上の分岐回路の各々の前記分岐電流の電流波形を合成した第１合成波形、及び前記複数の分岐回路のうち前記第２電線に電気的に接続された２つ以上の分岐回路の各々の前記分岐電流の電流波形を合成した第２合成波形であり、
前記判定ステップにおいて、前記第１電流の電流波形と前記第１合成波形とが一致するか否かを判定し、かつ前記第２電流の電流波形と前記第２合成波形とが一致するか否かを判定することを特徴とする請求項１記載の回路判定方法。
【請求項４】
前記第１物理量は、前記第１電流の電流波形から得られる前記第１電流の実効値と、前記第２電流の電流波形から得られる前記第２電流の実効値とを加算した第１実効値であり、
前記第２物理量は、前記第１合成波形から得られる前記分岐電流の実効値と、前記第２合成波形から得られる前記分岐電流の実効値とを加算した第２実効値であり、
前記判定ステップにおいて、前記第１実効値と前記第２実効値とが一致するか否かを判定することを特徴とする請求項３記載の回路判定方法。
【請求項５】
第１電線と第２電線と第３電線とを有する電力線に電気的に接続され、前記電力線からの電力を複数の分岐回路に分配する分電盤に用いられ、
前記複数の分岐回路には、前記第１電線と前記第２電線との一方及び前記第３電線に電気的に接続された第１分岐回路と、前記第１電線及び前記第２電線に電気的に接続された第２分岐回路との２種類があって、
前記第１電線を流れる第１電流、前記第２電線を流れる第２電流、及び前記複数の分岐回路の各々を流れる分岐電流を計測する計測装置と、
前記計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定装置とを備えることを特徴とする回路判定システム。
【請求項６】
第１電線と第２電線と第３電線とを有する電力線に電気的に接続される分電盤であって、前記第１電線と前記第２電線との一方及び前記第３電線に電気的に接続された第１分岐回路と、前記第１電線及び前記第２電線に電気的に接続された第２分岐回路との２種類に分類される複数の分岐回路に、前記電力線からの電力を分配する分電盤とともに用いられるコンピュータを、
前記第１電線を流れる第１電流、前記第２電線を流れる第２電流、及び前記複数の分岐回路の各々を流れる分岐電流を計測する計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定装置として機能させるためのプログラム。
【発明の詳細な説明】
【技術分野】
【０００１】
本発明は、回路判定方法、回路判定システム、及びプログラムに関する。
【背景技術】
【０００２】
従来、分電盤における複数の分岐ブレーカ（配線用遮断器）の種類を特定する識別情報を、各分岐ブレーカに接続される分岐回路に関連付けて記憶するメモリ媒体を備えたエネルギ管理システムが提案されている（例えば特許文献１参照）。ここで、分岐回路（分岐ブレーカ）の種類には、「電圧」（１００〔Ｖ〕または２００〔Ｖ〕）が含まれている。このエネルギ管理システムでは、計測した電流に基づいて使用電力を算出する際に、メモリ媒体に記憶されている分岐回路の種類（「電圧」）が使用される。
【０００３】
特許文献１記載のシステムでは、分電盤に装填された複数の分岐ブレーカの各々から識別情報を読み出して、メモリ媒体に書き込むリード／ライト回路が設けられている。リード／ライト回路は、各分岐ブレーカに設けられているＲＦ（Radio Frequency）タグなどの情報担体から、識別情報を示す信号を、接触または非接触で読み出す検出部を有している。
【先行技術文献】
【特許文献】
【０００４】
【特許文献１】特開２０１５−８９２３２号公報
【発明の概要】
【発明が解決しようとする課題】
【０００５】
上述の特許文献１記載のシステムでは、各分岐ブレーカに情報担体が設けられているため、一般的な分岐ブレーカに比べると、情報担体の分だけ分岐ブレーカの部品点数が増えることになる。特に、分岐回路の数が多くなると、その分だけ情報担体の数も増加し、分電盤全体として部品点数の大幅な増加につながる可能性がある。
【０００６】
本発明は上記課題に鑑みてなされており、分岐ブレーカの部品点数の増加を抑えながらも分岐回路の種類を判定することができる回路判定方法、回路判定システム、及びプログラムを提供することを目的とする。
【課題を解決するための手段】
【０００７】
本発明の回路判定方法は、第１電線と第２電線と第３電線とを有する電力線に電気的に接続され、前記電力線からの電力を複数の分岐回路に分配する分電盤に用いられ、前記複数の分岐回路の各々が、前記第１電線と前記第２電線との一方及び前記第３電線に電気的に接続された第１分岐回路と、前記第１電線及び前記第２電線に電気的に接続された第２分岐回路とのいずれであるかを判定する回路判定方法であって、前記第１電線を流れる第１電流、前記第２電線を流れる第２電流、及び前記複数の分岐回路の各々を流れる分岐電流を計測する計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定ステップを含むことを特徴とする。
【０００８】
本発明の回路判定システムは、第１電線と第２電線と第３電線とを有する電力線に電気的に接続され、前記電力線からの電力を複数の分岐回路に分配する分電盤に用いられ、前記複数の分岐回路には、前記第１電線と前記第２電線との一方及び前記第３電線に電気的に接続された第１分岐回路と、前記第１電線及び前記第２電線に電気的に接続された第２分岐回路との２種類があって、前記第１電線を流れる第１電流、前記第２電線を流れる第２電流、及び前記複数の分岐回路の各々を流れる分岐電流を計測する計測装置と、前記計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定装置とを備えることを特徴とする。
【０００９】
本発明のプログラムは、第１電線と第２電線と第３電線とを有する電力線に電気的に接続される分電盤であって、前記第１電線と前記第２電線との一方及び前記第３電線に電気的に接続された第１分岐回路と、前記第１電線及び前記第２電線に電気的に接続された第２分岐回路との２種類に分類される複数の分岐回路に、前記電力線からの電力を分配する分電盤とともに用いられるコンピュータを、前記第１電線を流れる第１電流、前記第２電線を流れる第２電流、及び前記複数の分岐回路の各々を流れる分岐電流を計測する計測装置の計測結果を用いて、前記第１電線及び前記第２電線の電流又は電力についての第１物理量と前記複数の分岐回路の電流又は電力についての第２物理量とが一致するか否かによって、前記複数の分岐回路の各々が前記第１分岐回路と前記第２分岐回路とのどちらであるかを判定する判定装置として機能させる。
【発明の効果】
【００１０】
本発明の回路判定方法は、分岐ブレーカの部品点数の増加を抑えながらも分岐回路の種類を判定することができる、という利点がある。
【００１１】
本発明の回路判定システムは、分岐ブレーカの部品点数の増加を抑えながらも分岐回路の種類を判定することができる、という利点がある。
【００１２】
本発明のプログラムは、分岐ブレーカの部品点数の増加を抑えながらも分岐回路の種類を判定することができる、という利点がある。
【図面の簡単な説明】
【００１３】
【図１】実施形態に係る回路判定システムの構成を示すブロック図である。
【図２】実施形態に係る分電盤の構成を示すブロック図である。
【図３】正常に施工された場合の電流波形を模式的に表した波形図を示し、図３Ａは第１電線を流れる電流の波形図、図３Ｂは第２電線を流れる電流の波形図である。
【図４】誤施工された場合の電流波形を模式的に表した波形図を示し、図４Ａは第１電線を流れる電流の波形図、図４Ｂは第２電線を流れる電流の波形図である。
【図５】実施形態に係る回路判定システムの動作を説明するフローチャートである。
【発明を実施するための形態】
【００１４】
以下の実施形態は、回路判定方法、回路判定システム、及びプログラムに関し、特に第１電線と第２電線と第３電線とを有する電力線に接続された分電盤に用いられる回路判定方法、回路判定システム、及びプログラムに関する。
【００１５】
本実施形態の回路判定方法及び回路判定システムは、分電盤に用いられ、複数の分岐回路の各々の種類を判定するための方法及びシステムである。
【００１６】
例えば、単相三線式の配電方式であれば、分電盤は、図１に示すように、第１電圧線４１（Ｌ１）と第２電圧線４２（Ｌ２）と中性線４３（Ｎ）とを有する電力線４に電気的に接続される。この場合、第１電圧線４１は「第１電線」を構成し、第２電圧線４２は「第２電線」を構成し、中性線４３は「第３電線」を構成する。
【００１７】
そして、分電盤は、この電力線４からの交流電力を複数（本実施形態では８つ）の分岐回路５１〜５８に分配する。そのため、複数の分岐回路５１〜５８には、第１電圧線４１と第２電圧線４２との一方及び中性線４３に電気的に接続された「第１分岐回路」と、第１電圧線４１及び第２電圧線４２に電気的に接続された「第２分岐回路」との２種類が存在する。なお、以下では、複数の分岐回路５１〜５８をとくに区別しない場合には、複数の分岐回路５１〜５８の各々を「分岐回路５」ともいう。また、ここでいう「分岐回路」は、分岐ブレーカ、並びに分岐ブレーカの二次側に接続される配線路、配線器具（アウトレット、壁スイッチなど）、及び各種の機器（照明器具、調理家電など）を含んでいる。
【００１８】
ここで、第１電圧線４１又は第２電圧線４２と、中性線４３との間の電圧が１００〔Ｖ〕（実効値）であるとすれば、「第１分岐回路」には１００〔Ｖ〕が印加され、「第２分岐回路」には２００〔Ｖ〕が印加されることになる。回路判定方法及び回路判定システムは、複数の分岐回路５の各々について、このように印加電圧の異なる２種類の分岐回路（第１分岐回路、第２分岐回路）のいずれに当たるかを、自動的に判定するための方法及びシステムである。
【００１９】
すなわち、本実施形態の回路判定方法は、計測装置２の計測結果を用いて、第１物理量と第２物理量とが一致するか否かによって、複数の分岐回路５の各々が「第１分岐回路」と「第２分岐回路」とのどちらであるかを判定する判定ステップを含んでいる。計測装置２は、第１電圧線４１（Ｌ１）を流れる第１電流Ｉ１、第２電圧線４２（Ｌ２）を流れる第２電流Ｉ２、及び複数の分岐回路５の各々を流れる分岐電流を計測する。第１物理量は、第１電圧線４１及び第２電圧線４２の電流又は電力についての物理量である。第２物理量は、複数の分岐回路５の電流又は電力についての物理量である。
【００２０】
また、本実施形態の回路判定システムは、図１に示すように、計測装置２と、判定装置３とを備えている。計測装置２は、第１電圧線４１（Ｌ１）を流れる第１電流Ｉ１、第２電圧線４２（Ｌ２）を流れる第２電流Ｉ２、及び複数の分岐回路５の各々を流れる分岐電流を計測する。判定装置３は、計測装置２の計測結果を用いて、複数の分岐回路５の各々が「第１分岐回路」と「第２分岐回路」とのどちらであるかを判定する。このとき、判定装置３は、第１物理量と第２物理量とが一致するか否かによって、複数の分岐回路５の各々の種類を判定する。
【００２１】
ところで、近年、複数の分岐回路５の各々について、消費電力と消費電力量との少なくとも一方を計測値として計測する電力計測システムが普及している。一般的な電力計測システムにおいては、複数の分岐回路５の各々に印加されている電圧値と、複数の分岐回路５の各々を流れる電流値とから、複数の分岐回路５の各々での消費電力や消費電力量が求められる。そのため、複数の分岐回路５に、上述したように印加電圧の異なる２種類の分岐回路が含まれている場合、電力計測システムにおいて、消費電力や消費電力量を精度よく求めるには、複数の分岐回路５の各々の種類が正しく設定されている必要がある。つまり、複数の分岐回路５の各々について、印加電圧が１００〔Ｖ〕か２００〔Ｖ〕かを表す情報（以下、「電圧区分」という）が正しく設定される必要がある。
【００２２】
この種の電力計測システムにおいて、従来、電圧区分の設定は、ディップスイッチ等のメカニカルスイッチや専用の設定装置を用いて、分電盤や電力計測システムの施工業者が手動で行っている。ただし、施工業者が手動で設定を行う場合には、人為的ミスにより、設定し忘れたり設定を間違ったりする可能性があるため、電圧区分の設定の自動化が望まれている。
【００２３】
そこで、本実施形態では、複数の分岐回路５の各々の種類を自動的に判定するための回路判定方法及び回路判定システムを電力計測システムに適用し、電圧区分の設定を自動化する場合を例に、回路判定方法及び回路判定システムについて説明する。ただし、本実施形態の回路判定方法及び回路判定システムの用途は、複数の分岐回路５の各々の種類を自動的に判定する用途であればよく、電力計測システムに限らず、例えば施工状況の確認のために用いられてもよい。
【００２４】
以下、本実施形態の回路判定方法及び回路判定システムについて詳しく説明する。ただし、以下に説明する構成は、本発明の一例に過ぎず、本発明は、下記の実施形態に限定されない。したがって、この実施形態以外であっても、本発明に係る技術的思想を逸脱しない範囲であれば、設計等に応じて種々の変更が可能である。
【００２５】
本実施形態では、回路判定方法及び回路判定システムは、需要家施設において消費電力と消費電力量との少なくとも一方を計測するための電力計測システムに適用され、複数の分岐回路５の各々について電圧区分の設定に用いられる。ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設の一例として説明する。
【００２６】
まず、回路判定方法及び回路判定システムが適用される電力計測システム１の基本構成について、図１を参照して説明する。
【００２７】
本実施形態の電力計測システム１は、図１に示すように、計測装置２及び判定装置３の他、消費電力や消費電力量を演算する演算装置１１と、電圧区分を記憶する記憶装置１２と、電圧区分を設定する設定装置１３とをさらに備えている。さらに、電力計測システム１は、複数箇所の電流を計測するために、複数の電流センサ２１，２２，２０１〜２０８を備えている。ここで、電力計測システム１の構成要素は、演算装置１１を除き、回路判定システムの構成要素と共通である。すなわち、本実施形態の回路判定システムは、計測装置２、判定装置３、記憶装置１２、設定装置１３、及び複数の電流センサ２１，２２，２０１〜２０８を備えている。なお、複数の電流センサ２１，２２，２０１〜２０８は、計測装置２に含まれていてもよい。
【００２８】
本実施形態では、これらの電力計測システム１の構成要素（計測装置２、判定装置３、演算装置１１、記憶装置１２、設定装置１３、及び電流センサ２１，２２，２０１〜２０８）は、分電盤６（図２参照）のキャビネット６０（図２参照）内に収納されている。
【００２９】
計測装置２には、一対の（主幹用）電流センサ２１，２２及び複数の（分岐用）電流センサ２０１〜２０８の各々が電気的に接続されている。一対の電流センサ２１，２２は第１電圧線４１及び第２電圧線４２に一対一に対応して設けられており、複数の電流センサ２０１〜２０８は複数の分岐回路５に一対一に対応して設けられている。これにより、計測装置２では、電流センサ２１の出力から第１電圧線４１を流れる第１電流Ｉ１が計測可能であり、電流センサ２２の出力から第２電圧線４２を流れる第２電流Ｉ２が計測可能である。また、計測装置２では、複数の電流センサ２０１〜２０８の出力から、複数の分岐回路５の各々を流れる電流（以下、「分岐電流」という）を計測可能である。以下では、分岐電流を計測するための複数の電流センサ２０１〜２０８をとくに区別しない場合には、複数の電流センサ２０１〜２０８の各々を「電流センサ２０」ともいう。
【００３０】
なお、以下では、分岐回路５１を流れる分岐電流、つまり電流センサ２０１で計測される分岐電流を「分岐電流Ｉ１１」という。同様に、分岐回路５ｎ（ｎは自然数）を流れる分岐電流、つまり電流センサ２０ｎ（ｎは自然数）で計測される分岐電流を「分岐電流Ｉ１ｎ」という。
【００３１】
判定装置３は、計測装置２と電気的に接続されており、計測装置２の計測結果を用いて、複数の分岐回路５の各々が、「第１分岐回路」と「第２分岐回路」とのどちらであるかを判定する。ここでいう計測装置２の計測結果は、計測装置２での各電流（第１電流Ｉ１、第２電流Ｉ２、及び分岐電流）の計測結果であって、例えば実効値や電流波形などである。
【００３２】
ここで、判定装置３は、例えばマイコン（マイクロコンピュータ）を主構成とし、マイコンのメモリに記録されたプログラムをＣＰＵ（Central Processing Unit）で実行することにより、種々の機能を実現する。プログラムは、予めマイコンのメモリに記録されていてもよいし、メモリカードのような記録媒体に記録されて提供されたり、電気通信回線を通して提供されたりしてもよい。なお、判定装置３の回路判定動作、すなわち回路判定方法における判定ステップについては後述する。
【００３３】
本実施形態では、判定装置３は、少なくとも回路判定システム（電力計測システム１）が起動（又は再起動）したとき、つまり電源が投入されたとき、複数の分岐回路５の各々の種類を判定する。判定装置３は、「第１分岐回路」と「第２分岐回路」とのどちらであるかを一旦判定した分岐回路５については、以降、定期的に「第１分岐回路」と「第２分岐回路」とのどちらであるかを判定するように構成されている。これにより、判定装置３は、判定に関連する処理負荷（演算負荷）を低減することができる。
【００３４】
演算装置１１は、計測装置２と電気的に接続されており、計測装置２の計測結果を用いて、複数の分岐回路５の各々について、消費電力と消費電力量との少なくとも一方を計測値として計測する。計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力であることとする。
【００３５】
演算装置１１は、電力線４（第１電圧線４１、第２電圧線４２、及び中性線４３）の線間電圧を監視している。演算装置１１は、例えばマイコン（マイクロコンピュータ）からなり、線間電圧と分岐電流とを用いて演算することにより、計測値を求める。なお、演算装置１１では、複数の分岐回路５の各々についての計測値だけでなく、需要家施設の総消費電力量を計測値として求める構成であってもよい。
【００３６】
記憶装置１２は、複数の分岐回路５の各々について、「第１分岐回路」と「第２分岐回路」とのどちらであるかを記憶する。言い換えれば、記憶装置１２は、複数の分岐回路５の各々の電圧区分（印加電圧が１００〔Ｖ〕か２００〔Ｖ〕かを表す情報）を記憶する。つまり、複数の分岐回路５１〜５８のうち、「第１分岐回路」である分岐回路５１〜５４については、１００〔Ｖ〕との電圧区分が対応付けて記憶され、「第２分岐回路」である分岐回路５５〜５８については、２００〔Ｖ〕との電圧区分が対応付けて記憶される。
【００３７】
本実施形態では、複数の分岐回路５の各々を識別するための識別符号として回路番号（１，２，３…）が用いられ、分岐ブレーカ６２の位置ごとに個別の回路番号が割り当てられる。例えば、上段の分岐ブレーカ６２については、主幹ブレーカ６１側から順に奇数番号（１，３，５，７…）が回路番号として割り当てられる。下段の分岐ブレーカ６２については、主幹ブレーカ６１側から順に偶数番号（２，４，６，８…）が回路番号として割り当てられる。そして、記憶装置１２は、複数の分岐回路５に電圧区分（分岐回路の種類）が一対一で対応するように、識別符号（回路番号）ごとに電圧区分をテーブル形式で記憶する。なお、分岐回路５への回路番号の割り当て方は、上述した例に限らず任意に決めることができる。
【００３８】
記憶装置１２は、演算装置１１と電気的に接続されている。演算装置１１では、記憶装置１２に記憶されている電圧区分に応じて演算結果を補正することにより、計測値を精度よく求めることができる。
【００３９】
設定装置１３は、記憶装置１２に電気的に接続されており、記憶装置１２に記憶される電圧区分を設定する。ここで、設定装置１３には、判定装置３が電気的に接続されており、設定装置１３は、判定装置３の判定結果を記憶装置１２に書き込むように構成されている。すなわち、設定装置１３は、複数の分岐回路５の各々が「第１分岐回路」と「第２分岐回路」とのどちらであるかを表す、判定装置３での判定結果を受けて、記憶装置１２に電圧区分の書き込みを行う。
【００４０】
次に、分電盤６の構成について、図２を参照して説明する。
【００４１】
分電盤６は、図２に示すように、電力線４に電気的に接続される主幹ブレーカ６１と、主幹ブレーカ６１の二次側端子に電気的に接続される複数の分岐ブレーカ６２とをキャビネット６０内に備えている。さらに、分電盤６は、計測ユニット６３と、設定ユニット６４と、電流センサ２１，２２と、センサユニット２３，２４とをキャビネット６０内に備えている。
【００４２】
本実施形態では一例として、電力計測システム１の構成要素のうち、計測装置２及び判定装置３としての機能は、計測ユニット６３に設けられている。同様に、記憶装置１２及び設定装置１３としての機能は、設定ユニット６４に設けられ、演算装置１１及び電流センサ２０１〜２０８としての機能は、センサユニット２３，２４に設けられている。
【００４３】
主幹ブレーカ６１の一次側端子は、３線式（第１電圧線４１、第２電圧線４２、及び中性線４３）の電力線４を介して、系統電源７（図１参照）に電気的に接続されている。主幹ブレーカ６１の二次側端子には、Ｌ１、Ｌ２、Ｎの３極の導電バーが接続されている。これら３極の導電バーは、第１電圧線４１（Ｌ１）、第２電圧線４２（Ｌ２）、及び中性線４３（Ｎ）と一対一に電気的に接続される。
【００４４】
複数の分岐ブレーカ６２は、導電バーに接続されることにより、主幹ブレーカ６１の二次側端子に電気的に接続される。なお、複数の分岐ブレーカ６２は、導電バーの幅方向の両側（上段と下段）に分かれて、それぞれ複数ずつ配置されている。
【００４５】
ここで、複数の分岐ブレーカ６２のうち、「第１分岐回路」である分岐回路５１〜５４に含まれる分岐ブレーカ６２は、Ｌ１及びＬ２のいずれか一方の導電バーと、Ｎの導電バーとに接続されている。また、複数の分岐ブレーカ６２のうち、「第２分岐回路」である分岐回路５５〜５８に含まれる分岐ブレーカ６２は、Ｌ１の導電バーと、Ｌ２の導電バーとに接続されている。これにより、「第１分岐回路」となる分岐回路５１〜５４の各々は、第１電圧線４１（Ｌ１）と第２電圧線４２（Ｌ２）との一方、及び中性線４３（Ｎ）に電気的に接続されることになる。また、「第２分岐回路」となる分岐回路５５〜５８の各々は、第１電圧線４１（Ｌ１）及び第２電圧線４２（Ｌ２）に電気的に接続されることになる。
【００４６】
ここにおいて、１００〔Ｖ〕用の分岐ブレーカ６２、つまり「第１分岐回路」に分類される分岐回路５の分岐ブレーカ６２は、導電バーの上段に取り付けられた状態では、第１電圧線４１と中性線４３とに電気的に接続される。一方、導電バーの下段に取り付けられた状態では、１００〔Ｖ〕用の分岐ブレーカ６２は、第２電圧線４２と中性線４３とに電気的に接続される。また、２００Ｖ用の分岐ブレーカ６２、つまり「第２分岐回路」に分類される分岐回路５の分岐ブレーカ６２は、導電バーの上段、下段に関わらず、第１電圧線４１と第２電圧線４２とに電気的に接続される。
【００４７】
計測ユニット６３には、一対の電流センサ２１，２２及び一対のセンサユニット２３，２４の各々が電気的に接続されている。電流センサ２１，２２，２０１〜２０８としては、例えばＣＴ（Current Transformer）センサ、ホール素子、ＧＭＲ（Giant Magnetic Resistances）素子等の磁気抵抗素子、シャント抵抗などが用いられる。本実施形態では一例として、電流センサ２１，２２の各々はＣＴセンサからなる。一方、センサユニット２３，２４に設けられた複数の電流センサ２０の各々は、コアを用いない（コアレスの）空芯コイルからなり、貫通孔内を通過する電流に応じた出力を生じるロゴスキコイルである。
【００４８】
一対の電流センサ２１，２２は、主幹ブレーカ６１の一次側端子に接続された電力線４の電流を計測するように、電力線４に取り付けられている。ここでは、一対の電流センサ２１，２２のうち、一方の（第１の）電流センサ２１は第１電圧線４１に取り付けられ、他方の（第２の）電流センサ２２は第２電圧線４２に取り付けられている。これにより、計測ユニット６３に設けられた計測装置２では、電流センサ２１の出力から第１電圧線４１を流れる第１電流Ｉ１が計測可能となり、電流センサ２２の出力から第２電圧線４２を流れる第２電流Ｉ２が計測可能となる。
【００４９】
一対のセンサユニット２３，２４の各々は、主幹ブレーカ６１の二次側端子に接続された複数の分岐ブレーカ６２の各々の電流を計測するように、複数の分岐ブレーカ６２と導電バーとの間に取り付けられている。一対のセンサユニット２３，２４の各々は、複数の電流センサ２０を具備し、これら複数の電流センサ２０が、複数の分岐ブレーカ６２に一対一に対応するように取り付けられている。これにより、計測ユニット６３に設けられた計測装置２では、一対のセンサユニット２３，２４の出力から、複数の分岐回路５の各々を流れる分岐電流が計測可能となる。
【００５０】
なお、本実施形態では、演算装置１１としての機能は一対のセンサユニット２３，２４に設けられている。そのため、一対のセンサユニット２３，２４は、複数の分岐回路５の各々を流れる分岐電流に加えて、演算装置１１で求めた計測値（消費電力）についても、計測ユニット６３へ出力するように構成されている。
【００５１】
ここで、導電バーの上段の分岐ブレーカ６２は、１００〔Ｖ〕用か２００〔Ｖ〕用かによらず、いずれも第１電圧線４１に電気的に接続される。一方、導電バーの下段の分岐ブレーカ６２は、１００〔Ｖ〕用か２００〔Ｖ〕用かによらず、いずれも第２電圧線４２に電気的に接続される。そこで、上段の分岐ブレーカ６２の電流を計測するセンサユニット２３においては、複数の電流センサ２０は、第１電圧線４１と分岐ブレーカ６２との間に設置され、第１電圧線４１と分岐ブレーカ６２との間の電流を計測する。一方、下段の分岐ブレーカ６２の電流を計測するセンサユニット２４においては、複数の電流センサ２０は、第２電圧線４２と分岐ブレーカ６２との間に設置され、第２電圧線４２と分岐ブレーカ６２との間の電流を計測する。
【００５２】
また、設定ユニット６４は、計測ユニット６３に電気的に接続されている。設定ユニット６４には、記憶装置１２及び設定装置１３としての機能が設けられている。したがって、設定ユニット６４では、計測ユニット６３の判定装置３の判定結果を用いて、自動的に電圧区分の設定が行われる。
【００５３】
なお、設定ユニット６４は、分電盤６の外部に設けられたコントローラと通信を行い、計測ユニット６３で得られた計測値をコントローラへ送信する通信アダプタとしての機能を有している。ここでいうコントローラは、ＨＥＭＳ（Home Energy Management System）コントローラであって、計測値をモニタへ表示したり、計測値に基づいて（ＨＥＭＳ対応）機器を制御したりすることができる。
【００５４】
次に、本実施形態の電力計測システム１における判定装置３の回路判定動作、つまり本実施形態の回路判定方法における判定ステップについて説明する。
【００５５】
本実施形態では、判定装置３は、計測装置２の計測結果を用いて、複数の分岐回路５の各々が、「第１分岐回路」と「第２分岐回路」とのどちらであるかを判定する。このとき、判定装置３は、第１物理量と第２物理量とが一致するか否かによって、複数の分岐回路５の各々の種類を判定する。第１物理量は、第１電圧線４１及び第２電圧線４２の電流又は電圧についての物理量である。第２物理量は、複数の分岐回路５の電流又は電圧についての物理量である。
【００５６】
ここでいう第１物理量は、後述の判定期間において抽出される第１電流Ｉ１の電流波形及び第２電流Ｉ２の電流波形である。また、第２物理量は、判定期間において抽出される２つ以上の分岐回路５の各々の分岐電流の電流波形を合成した合成波形（第１合成波形、第２合成波形）である。具体的には、判定装置３は、第２物理量として、第１電圧線４１に電気的に接続された分岐回路５１，５２，５５〜５８を流れる分岐電流Ｉ１１，Ｉ１２，Ｉ１５〜Ｉ１８の電流波形を合成した第１合成波形を抽出する。また、判定装置３は、第２物理量として、第２電圧線４２に電気的に接続された分岐回路５３〜５８を流れる分岐電流Ｉ１３〜Ｉ１８の電流波形を合成した第２合成波形を抽出する。
【００５７】
ここで、判定装置３は、第１電流Ｉ１の電流波形と第１合成波形とを比較し、かつ第２電流Ｉ２の電流波形と第２合成波形とを比較することにより、両者の一致、不一致を判断し、判断結果から分岐回路５の種類を判定する。このとき、判定装置３は、第１電流Ｉ１の電流波形と第１合成波形とを比較し、かつ第２電流Ｉ２の電流波形と第２合成波形とを比較するにあたり、例えばパターンマッチングにより、両者の一致度（合致度）を数値化して求める。そして、判定装置３は、第１電流Ｉ１の電流波形と第１合成波形の一致度が閾値以上であれば、第１電流Ｉ１の電流波形と第１合成波形とが一致すると判断する。また、判定装置３は、第２電流Ｉ２の電流波形と第２合成波形の一致度が閾値以上であれば、第２電流Ｉ２の電流波形と第２合成波形とが一致すると判断する。
【００５８】
そして、判定装置３は、第１電流Ｉ１の電流波形と第１合成波形とが一致するか否か、第２電流Ｉ２の電流波形と第２合成波形とが一致するか否かによって、複数の分岐回路５の各々の種類を判定する。
【００５９】
本実施形態において、判定装置３は、第１電流Ｉ１の電流波形、第２電流Ｉ２の電流波形、及び複数の分岐回路５の各々の電流波形を抽出する判定期間を設定する。少なくとも回路判定システム（電力計測システム１）が起動（又は再起動）したとき、つまり電源が投入されたときには、判定装置３は判定期間を設定し、複数の分岐回路５の各々の種類を判定する。なお、回路判定システムが起動（又は再起動）したとき以外であっても、判定期間は定期的（周期的）に設定されていてもよいし、不定期に設定されていてもよい。また、判定期間は連続的に繰り返し設定されていてもよい。
【００６０】
次に、判定装置３の回路判定動作の具体例、すなわち回路判定方法における判定ステップの具体例について、図３Ａ、図３Ｂ、図４Ａ及び図４Ｂを参照して説明する。図３Ａ及び図３Ｂは、複数の分岐回路５の各々の電圧区分が正常に設定されている場合の電流波形を模式的に表した波形図である。
【００６１】
判定装置３は、計測装置２の計測結果を用いて、第１電圧線４１を流れる第１電流Ｉ１の電流波形、第２電圧線４２を流れる第２電流Ｉ２の電流波形、及び複数の分岐回路５の各々を流れる分岐電流の電流波形を求める。そして、判定装置３は、第１電圧線４１についての電流波形が一致するか否か、第２電圧線４２についての電流波形が一致するか否かによって、複数の分岐回路５の各々の種類を判定する。
【００６２】
判定装置３は、第１電圧線４１について、図３Ａに示すように、第１電流Ｉ１の電流波形と、第１電圧線４１に電気的に接続された分岐回路５１，５２，５５〜５８を流れる分岐電流Ｉ１１，Ｉ１２，Ｉ１５〜Ｉ１８の電流波形を合成した第１合成波形とを比較する。ここで、本実施形態では、電流センサ２０１，２０２，２０５，２０８が第１電圧線４１（Ｌ１）と分岐回路５との間に設けられているのに対して、電流センサ２０６，２０７は第２電圧線４２（Ｌ２）と分岐回路５との間に設けられている。そのため、電流センサ２０１，２０２，２０５，２０８による電流の検出方向と、電流センサ２０６，２０７による電流の検出方向とが逆になる。つまり、電流センサ２０６，２０７により検出される分岐電流Ｉ１６，Ｉ１７の位相は、図３Ａに示すように、分岐電流Ｉ１１，Ｉ１２，Ｉ１５，Ｉ１８に対して反転している。そして、判定装置３は、複数の分岐回路５の各々の電圧区分が正常に設定されていることから、第１電流Ｉ１の電流波形と第１合成波形とが一致していると判断する。
【００６３】
また、判定装置３は、第２電圧線４２について、図３Ｂに示すように、第２電流Ｉ２の電流波形と、第２電圧線４２に電気的に接続された分岐回路５３〜５８の各々を流れる分岐電流Ｉ１３〜Ｉ１８の電流波形を合成した第２合成波形とを比較する。ここで、本実施形態では、電流センサ２０３，２０４，２０６，２０７が第２電圧線４２（Ｌ２）と分岐回路５との間に設けられているのに対して、電流センサ２０５，２０８は第１電圧線４１（Ｌ１）と分岐回路５との間に設けられている。そのため、電流センサ２０３，２０４，２０６，２０７による電流の検出方向と、電流センサ２０５，２０８による電流の検出方向とが逆になる。つまり、電流センサ２０５，２０８により検出される分岐電流Ｉ１５，Ｉ１８の位相は、図３Ｂに示すように、分岐電流Ｉ１３，Ｉ１４，Ｉ１６，Ｉ１７に対して反転している。そして、判定装置３は、複数の分岐回路５の各々の電圧区分が正常に設定されていることから、第２電流Ｉ２の電流波形と第２合成波形とが一致していると判断する。
【００６４】
したがって、判定装置３は、第１電流Ｉ１の電流波形と第１合成波形とが一致し、かつ第２電流Ｉ２の電流波形と第２合成波形とが一致することから、複数の分岐回路５の各々が「第１分岐回路」と「第２分岐回路」とのどちらかに正常に設定されていると判定する。
【００６５】
図４Ａ及び図４Ｂは、複数の分岐回路５のうち、電圧区分が２００〔Ｖ〕に設定されるべき分岐回路５５に対して、電圧区分を１００〔Ｖ〕に設定した場合の電流波形を模式的に表した波形図である。
【００６６】
判定装置３は、第１電圧線４１について、図４Ａに示すように、第１電流Ｉ１の電流波形と、第１電圧線４１に電気的に接続された分岐回路５１，５２，５５〜５８を流れる分岐電流Ｉ１１，Ｉ１２，Ｉ１５〜Ｉ１８の電流波形を合成した第１合成波形とを比較する。この場合、判定装置３は、図３Ａと同様に、第１電流Ｉ１の電流波形と第１合成波形とが一致していると判断する。
【００６７】
また、判定装置３は、第２電圧線４２について、図４Ｂに示すように、第２電流Ｉ２の電流波形と、第２電圧線４２に電気的に接続された分岐回路５３〜５８の各々を流れる分岐電流Ｉ１３〜Ｉ１８の電流波形を合成した第２合成波形とを比較する。ここで、分岐回路５５の電圧区分は１００〔Ｖ〕に設定されているため、図４Ｂに示すように、分岐回路５５を流れる分岐電流Ｉ１５は加算されない。したがって、判定装置３は、第２電流Ｉ２の電流波形と第２合成波形とが一致していないと判断する（図４Ｂ参照）。
【００６８】
そして、判定装置３は、第１電流Ｉ１の電流波形と第１合成波形とは一致するが、第２電流Ｉ２の電流波形と第２合成波形とが一致しないことから、いずれかの分岐回路５（ここでは分岐回路５５）の電圧区分が誤設定されていると判定する。
【００６９】
ところで、戸建住宅に設置される分電盤６では、電圧区分が２００〔Ｖ〕となる「第２分岐回路」よりも、電圧区分が１００〔Ｖ〕となる「第１分岐回路」のほうが多くなるのが一般的である。したがって、複数の分岐回路５の各々が「第１分岐回路」と「第２分岐回路」とのどちらであるかを判定する際に、全ての分岐回路５が「第１分岐回路」であると仮定した状態から、「第２分岐回路」を１つずつ増やしていくのが好ましい。
【００７０】
例えば、本実施形態のように、８つの分岐回路５を備えている場合、判定装置３は、８つの分岐回路５の全てが「第１分岐回路」であると仮定して判定動作を開始する。そして、判定装置３は、上記仮定において、第１電流Ｉ１の電流波形と第１合成波形とが一致し、かつ第２電流Ｉ２の電流波形と第２合成波形とが一致する場合、８つの分岐回路５の全てが「第１分岐回路」であると判定する。また、判定装置３は、上記仮定において、第１電流Ｉ１の電流波形と第１合成波形とが一致しない場合、又は第２電流Ｉ２の電流波形と第２合成波形とが一致しない場合、８つの分岐回路５の全てが「第１分岐回路」であるとの仮定が誤っていると判定する。そして、判定装置３は、７つの分岐回路５が「第１分岐回路」、１つの分岐回路５が「第２分岐回路」であると仮定して判定動作を継続する。
【００７１】
判定装置３は、上記仮定において、第１電流Ｉ１の電流波形と第１合成波形とが一致し、かつ第２電流Ｉ２の電流波形と第２合成波形とが一致する場合、７つの分岐回路５が「第１分岐回路」、１つの分岐回路５が「第２分岐回路」であると判定する。また、判定装置３は、上記仮定において、第１電流Ｉ１の電流波形と第１合成波形とが一致しない場合、又は第２電流Ｉ２の電流波形と第２合成波形とが一致しない場合、７つの分岐回路５が「第１分岐回路」であるとの仮定が誤っていると判定する。そして、判定装置３は、６つの分岐回路５が「第１分岐回路」、２つの分岐回路５が「第２分岐回路」であると仮定して判定動作を継続する。判定装置３は、以下同様にして、第１電流Ｉ１の電流波形と第１合成波形とが一致し、かつ第２電流Ｉ２の電流波形と第２合成波形とが一致するまで判定動作を繰り返し行う。
【００７２】
この構成によれば、複数の分岐回路５の各々が「第１分岐回路」と「第２分岐回路」とのどちらであるかを判定するための演算処理を少なくすることができ、短時間で効率よく判定することができる。
【００７３】
また、上述のように、設定ユニット６４がＨＥＭＳコントローラと通信するように構成されている場合には、複数の分岐回路５の各々に含まれる（ＨＥＭＳ対応）機器の名称が設定ユニット６４の記憶装置１２に記憶される。すなわち、この場合には、記憶装置１２に記憶させている名称から２００〔Ｖ〕機器と１００〔Ｖ〕機器とを識別することができる。そして、上述のように、２００〔Ｖ〕機器を含む「第２分岐回路」よりも、１００〔Ｖ〕機器を含む「第１分岐回路」のほうが多いことから、回路数の少ない「第２分岐回路」の電圧区分が誤設定されている可能性が高い。したがって、判定装置３は、例えば「エアコン」や「ＩＨ調理器」、「電気温水器」などの２００〔Ｖ〕機器を含む分岐回路５を優先的に選択して、「第１分岐回路」と「第２分岐回路」とのどちらであるかを判定するように構成するのが好ましい。このように、回路数の少ない、２００〔Ｖ〕機器を含む分岐回路５から順に判定動作を行うことにより、短時間で効率よく判定動作を行うことができる。
【００７４】
ところで、上述の実施形態では、判定装置３は、第１電流Ｉ１の電流波形と第１合成波形とを比較し、かつ第２電流Ｉ２の電流波形と第２合成波形とを比較することによって、分岐回路５の種類を判定している。これに対して、判定装置３は、第１電力値と第２電力値とを比較することによって、分岐回路５の種類を判定してもよい。ここでいう第１電力値は、第１電流Ｉ１から得られる第１電圧線４１の電力値（消費電力）と、第２電流Ｉ２から得られる第２電圧線４２の電力値（消費電力）とを加算した電力値であり、この第１電力値が第１物理量である。また、第２電力値は、分岐電流から得られる複数の分岐回路５の各々の電力値（消費電力）に、複数の分岐回路５の各々に応じた係数を掛けた乗算値を加算した電力値であり、この第２電力値が第２物理量である。そして、判定装置３は、判定ステップにおいて、第１電力値と第２電力値とが一致するか否かによって、複数の分岐回路５の種類を判定する。以下、本実施形態の変形例について説明する。
【００７５】
例えば、第１電流Ｉ１から得られる第１電圧線４１の電力値をＷ１、第２電流Ｉ２から得られる第２電圧線４２の電力値をＷ２、分岐電流Ｉ１１〜Ｉ１８から得られる複数の分岐回路５１〜５８の各々の電力値をＷ１１〜Ｗ１８とする。なお、これらの電力値は、上述のように、演算装置１１から計測装置２を介して判定装置３に出力される。また、図１においては、分岐回路５１〜５４が「第１分岐回路」であり、分岐回路５５〜５８が「第２分岐回路」である。そして、複数の分岐回路５の各々の電圧区分が正常に設定されている場合には、Ｗ１＋Ｗ２＝Ｗ１１＋Ｗ１２＋Ｗ１３＋Ｗ１４＋Ｗ１５＋Ｗ１６＋Ｗ１７＋Ｗ１８となるため、判定装置３は、第１電力値と第２電力値とが一致していると判断する。このように、複数の分岐回路５の各々の電圧区分が正常に設定されている場合には、各分岐回路５の係数はいずれも１となる。
【００７６】
ここで、例えば電圧区分が２００〔Ｖ〕に設定されるべき分岐回路５５の電圧区分を１００〔Ｖ〕に設定した場合、Ｗ１＋Ｗ２＝Ｗ１１＋Ｗ１２＋Ｗ１３＋Ｗ１４＋Ｗ１５×０．５＋Ｗ１６＋Ｗ１７＋Ｗ１８となる。つまり、分岐回路５５の電力値として計測された値を０．５倍にすることで第１電力値と第２電力値とが一致するため、判定装置３は、分岐回路５５の電圧区分が誤っていると判定する。また、例えば電圧区分が１００〔Ｖ〕に設定されるべき分岐回路５２の電圧区分を２００〔Ｖ〕に設定した場合、Ｗ１＋Ｗ２＝Ｗ１１＋Ｗ１２×２＋Ｗ１３＋Ｗ１４＋Ｗ１５＋Ｗ１６＋Ｗ１７＋Ｗ１８となる。つまり、分岐回路５２の電力値として計測された値を２倍にすることで第１電力値と第２電力値とが一致するため、判定装置３は、分岐回路５２の電圧区分が誤っていると判定する。
【００７７】
また、上述の変形例のように電力値を比較する構成では、例えば分割型の電流センサの嵌合不良や、計測場所の間違いなどの施工ミスを判定することも可能である。
【００７８】
なお、上述の変形例では、判定装置３は、第１電力値と第２電力値とを比較することによって、分岐回路５の種類を判定しているが、判定装置３は、上述の電流波形から得られる実効値を比較することによって、分岐回路５の種類を判定してもよい。この場合、判定装置３は、第１物理量として、第１電流Ｉ１の電流波形から得られる第１電流Ｉ１の実効値と、第２電流Ｉ２の電流波形から得られる第２電流Ｉ２の実効値とを加算した第１実効値を求める。また、判定装置３は、第２物理量として、第１合成波形から得られる分岐電流の実効値と、第２合成波形から得られる分岐電流の実効値とを加算した第２実効値を求める。そして、判定装置３は、第１実効値と第２実効値とが一致するか否かによって、分岐回路５の種類を判定する。
【００７９】
また、本実施形態の回路判定方法及び回路判定システムによれば、第１電圧線４１に取り付けられた電流センサ２１及び第２電圧線４２に取り付けられた電流センサ２２が誤施工か否かを判定することも可能である。以下、判定装置３の動作について、図５に示すフローチャートを参照して説明する。
【００８０】
判定装置３は、第１電流Ｉ１の電流波形と第１合成波形とが一致するか否かを判定する（ステップＳ１）。判定装置３は、第１電流Ｉ１の電流波形と第１合成波形とが一致していないと判定した場合（ステップＳ１のＮｏ）、第１合成波形の極性を反転させて、反転後の第１合成波形と第１電流Ｉ１の電流波形とが一致するか否かを判定する（ステップＳ４）。判定装置３は、反転後の第１合成波形と第１電流Ｉ１の電流波形とが一致していると判定した場合（ステップＳ４のＹｅｓ）、極性が反対になるようにして電流センサ２１が第１電圧線４１に取り付けられていると判定する（ステップＳ５）。また、判定装置３は、反転後の第１合成波形と第１電流Ｉ１の電流波形とが一致していないと判定した場合（ステップＳ４のＮｏ）、その他の異常であると判定する（ステップＳ６）。なお、その他の異常としては、例えば、分割型の電流センサ２１の嵌合不良や、電流センサ２１の破損、分岐回路５での計測不良などがある。
【００８１】
判定装置３は、第１電流Ｉ１の電流波形と第１合成波形とが一致していると判定した場合（ステップＳ１のＹｅｓ）、第２電流Ｉ２の電流波形と第２合成波形とが一致するか否かを判定する（ステップＳ２）。判定装置３は、第２電流Ｉ２の電流波形と第２合成波形とが一致していないと判定した場合（ステップＳ２のＮｏ）、第２合成波形の極性を反転させて、反転後の第２合成波形と第２電流Ｉ２の電流波形とが一致するか否かを判定する（ステップＳ７）。判定装置３は、反転後の第２合成波形と第２電流Ｉ２の電流波形とが一致していると判定した場合（ステップＳ７のＹｅｓ）、極性が反対になるようにして電流センサ２２が第２電圧線４２に取り付けられていると判定する（ステップＳ８）。また、判定装置３は、反転後の第２合成波形と第２電流Ｉ２の電流波形とが一致していないと判定した場合（ステップＳ７のＮｏ）、その他の異常であると判定する（ステップＳ９）。なお、その他の異常としては、例えば、分割型の電流センサ２２の嵌合不良や、電流センサ２２の破損、分岐回路５での計測不良などがある。
【００８２】
判定装置３は、第２電流Ｉ２の電流波形と第２合成波形とが一致していると判定した場合（ステップＳ２のＹｅｓ）、第１電力値と第２電力値とが一致するか否かを判定する（ステップＳ３）。そして、判定装置３は、すべての分岐回路５の係数を１としたときの第１電力値と第２電力値とが一致すると判定した場合（ステップＳ３のＹｅｓ）、正常に施工されていると判定し、判定ステップを終了する。また、判定装置３は、すべての分岐回路５の係数を１としたときの第１電力値と第２電力値とが一致していないと判定した場合（ステップＳ３のＮｏ）、複数の分岐回路５のうち、いずれかの分岐回路５において設定ミスがあると判定する（ステップＳ１０）。なお、ステップＳ１０において、第１電力値及び第２電力値のいずれか一方をマイナス１倍して両者が一致すれば、判定装置３は、電流センサ２１，２２のいずれか一方の極性が反対であると判定する。
【００８３】
以上説明した本実施形態の回路判定方法によれば、計測装置２の計測結果を用いて、分岐回路５の種類を判定する判定ステップを含んでいる。計測装置２は、第１電圧線４１を流れる第１電流Ｉ１、第２電圧線４２を流れる第２電流Ｉ２、及び複数の分岐回路５の各々を流れる分岐電流を計測する。この判定ステップでは、第１物理量と第２物理量とが一致するか否かによって、分岐回路５の種類を判定する。第１物理量は、第１電圧線４１及び第２電圧線４２の電流又は電力についての物理量である。第２物理量は、複数の分岐回路５の電流又は電力についての物理量である。
【００８４】
したがって、この回路判定方法では、計測装置２での計測結果（電流）を用いることにより、複数の分岐回路５の各々について、２種類の分岐回路（第１分岐回路、第２分岐回路）のどちらであるかを、自動的に判定することができる。その結果、特許文献１に記載されている情報担体などの部品を分岐ブレーカ６２に付加する必要がなく、分岐ブレーカ６２の部品点数の増加を抑えながらも、分岐回路５の種類を判定することができる。
【００８５】
特に、回路判定方法が電力計測システム１に適用される場合には、電力計測用の計測装置２を、分岐回路５の種類の判定に利用することができる。したがって、既存の電力計測システム１の構成を利用することで、新たなハードウェア資源を追加しなくても、分岐回路５の種類を判定することが可能である。そして、電力計測システム１において、分岐回路５の種類（電圧区分）の設定が自動化されることで、施工業者が手動で設定を行う場合に比べ、設定し忘れや設定の間違いを減らすことができる。また、この回路判定方法によれば、専用の計測装置２及び判定装置３を用いなくても、本実施形態の回路判定システムと同等の機能を実現することができる。
【００８６】
また、本実施形態のように、判定ステップにおいて、第１物理量である第１電力値と、第２物理量である第２電力値とが一致するか否かによって、分岐回路５の種類を判定してもよい。第１電力値は、第１電流Ｉ１から得られる第１電圧線４１（第１電線）における電力値と、第２電流Ｉ２から得られる第２電圧線４２（第２電線）における電力値とを加算した電力値である。また、第２電力値は、分岐電流から得られる複数の分岐回路５の各々の電力値に、複数の分岐回路５の各々に応じた係数を掛けた乗算値を加算した電力値である。この構成によれば、第１電力値と第２電力値とを比較するだけで、分岐回路５の種類を判定することができ、さらに電流センサ２１，２２の施工ミスについても判定することができる。
【００８７】
また、本実施形態のように、判定ステップにおいて、第１電流Ｉ１の電流波形と第１合成波形とが一致するか否か、及び第２電流Ｉ２の電流波形と第２合成波形とが一致するか否かによって、分岐回路５の種類を判定してもよい。第１合成波形は、第１電圧線４１に電気的に接続された２つ以上の分岐回路５１，５２，５５〜５８の各々の分岐電流Ｉ１１，Ｉ１２，Ｉ１５〜Ｉ１８の各々の電流波形を合成した波形である。また、第２合成波形は、第２電圧線４２に電気的に接続された２つ以上の分岐回路５３〜５８の各々の電流波形を合成した波形である。この構成によれば、第１電圧線４１（Ｌ１）、第２電圧線４２（Ｌ２）ごとに電流波形を判定することによって、第１電圧線４１、第２電圧線４２のいずれで施工不良や設定ミスが起こっているのかを判定することもできる。
【００８８】
また、本実施形態のように、判定ステップにおいて、第１実効値と第２実効値とが一致するか否かによって、分岐回路５の種類を判定してもよい。第１実効値は、第１電流Ｉ１の電流波形から得られる第１電流Ｉ１の実効値と、第２電流Ｉ２の電流波形から得られる第２電流Ｉ２の実効値とを加算した実効値である。また、第２実効値は、第１合成波形から得られる分岐電流の実効値と、第２合成波形から得られる分岐電流の実行値とを加算した実効値である。この構成によれば、電流の実効値は一般的に演算される物理量であり、単純な足し算（加算）での比較が可能である、という利点がある。
【００８９】
本実施形態の回路判定システムでは、第１電圧線４１を流れる第１電流Ｉ１、第２電圧線４２を流れる第２電流Ｉ２、及び複数の分岐回路５の各々を流れる分岐電流を計測装置２が計測し、その計測結果を用いて、判定装置３が分岐回路５の種類を判定する。このとき、判定装置３は、第１物理量と第２物理量とが一致するか否かによって、分岐回路５の種類を判定する。第１物理量は、第１電圧線４１及び第２電圧線４２の電流又は電力についての物理量である。第２物理量は、複数の分岐回路５の電流又は電力についての物理量である。
【００９０】
したがって、この回路判定システムでは、計測装置２での計測結果（電流）を用いることにより、複数の分岐回路５の各々について、２種類の分岐回路（第１分岐回路、第２分岐回路）のどちらであるかを、自動的に判定することができる。その結果、特許文献１に記載されている情報担体などの部品を分岐ブレーカ６２に付加する必要がなく、分岐ブレーカ６２の部品点数の増加を抑えながらも、分岐回路５の種類を判定することができる、という利点がある。
【００９１】
また、判定装置３がコンピュータ（マイコンを含む）を主構成とする場合、コンピュータのメモリに記録されるプログラムは、分電盤６とともに用いられるコンピュータを判定装置３として機能させるためのプログラムである。ここでいう判定装置３は、第１電圧線４１（第１電線）を流れる第１電流Ｉ１、第２電圧線４２（第２電線）を流れる第２電流Ｉ２、及び複数の分岐回路５の各々を流れる分岐電流を計測する計測装置２の計測結果を用いて、分岐回路５の種類を判定する。そして、判定装置３は、第１物理量と第２物理量とが一致するか否かによって、複数の分岐回路の各々が「第１分岐回路」と「第２分岐回路」とのどちらであるかを判定する。第１物理量は、第１電圧線４１及び第２電圧線４２の電流又は電力についての物理量である。第２物理量は、複数の分岐回路５の電流又は電力についての物理量である。
【００９２】
このプログラムによれば、専用の計測装置２及び判定装置３を用いなくても、本実施形態の回路判定システムと同等の機能を実現でき、分岐ブレーカ６２の部品点数の増加を抑えながらも、分岐回路５の種類を判定することができる、という利点がある。
【００９３】
なお、本実施形態では、戸建住宅を需要家施設の一例として説明しているが、この例に限らず、需要家施設は、集合住宅の各住戸などの戸建住宅以外の住宅、あるいは事務所、店舗等の非住宅であってもよい。また、本実施形態では、第１電力値及び第２電力値として消費電力を例に説明したが、第１電力値及び第２電力値は消費電力量であってもよい。
【００９４】
また、電力計測システム１の構成要素の分電盤６内での配置は、上述した構成に限らず適宜変更可能である。例えば、計測装置２、判定装置３、演算装置１１、記憶装置１２、及び設定装置１３の全ての機能が、計測ユニット６３、設定ユニット６４、及びセンサユニット２３，２４のいずれか１つに集約して設けられていてもよい。さらに、電力計測システム１の構成要素の少なくとも一部は、分電盤６のキャビネット６０の外側に設けられていてもよい。
【符号の説明】
【００９５】
２  計測装置
３  判定装置
４  電力線
５，５１〜５８  分岐回路
６  分電盤
４１  第１電圧線（第１電線）
４２  第２電圧線（第２電線）
４３  中性線（第３電線）
Ｉ１  第１電流
Ｉ２  第２電流
Ｉ１１〜Ｉ１８  分岐電流
【図１】
2017070069.tif 000003
【図２】
2017070069.tif 000004
【図３】
2017070069.tif 000005
【図４】
2017070069.tif 000006
【図５】
2017070069.tif 000007